(57)【特許請求の範囲】
【請求項１】
本体（２，１０２，２０２）の下面に室内空気の吸い込み口（２１，１２１，２２１）が位置する天井設置型の空気調和装置の室内機（１，１０１，２０１）であって、
暖房及び冷房を含む運転の停止時には前記吸い込み口（２１，１２１，２２１）を遮蔽する閉姿勢と、前記運転時には前記吸い込み口（２１，１２１，２２１）の近傍である所定位置において前記閉姿勢に対し傾斜することで、前記吸い込み口（２１，１２１，２２１）を開放する開姿勢とを採り得るパネル（３，１０３，２０３）と、
前記パネル（３，１０３，２０３）が前記閉姿勢から前記開姿勢に至る時、前記パネル（３、１０３，２０３）が前記所定位置まで略水平な状態を保って降下した後、所定の回動支点（Ｐ３，Ｐ１０３，Ｐ２０３）を中心として回動するように、前記パネル（３、１０３，２０３）を動作させるパネル駆動部（７，１０７，２０７）と、
を備える、空気調和装置の室内機（１，１０１，２０１）。
【請求項２】
前記パネル駆動部（７）は、
前記パネル（３）の一端部に設けられ、前記パネル（３）が前記所定位置まで降下後、その一部が前記所定の回動支点を成す第１回動支持部（７１ａ，７１ｂ）と、
前記本体（２）に設けられ、前記第１回動支持部（７１ａ，７１ｂ）に嵌合して前記第１回動支持部（７１ａ，７１ｂ）を回動可能に支持するための第２回動支持部（７２ａ，７２ｂ）と、
を有する、
請求項１に記載の空気調和装置の室内機（１）。
【請求項３】
前記第１回動支持部（７１ａ，７１ｂ）には、前記第２回動支持部（７２ａ，７２ｂ）が嵌合して前記第１回動支持部（７１ａ，７１ｂ）が前記本体（２）の下方にスライドするための長穴（７３ａ，７３ｂ）が形成されている、
請求項２に記載の空気調和装置の室内機（１）。
【請求項４】
前記パネル駆動部（１０７）は、前記パネル（１０３）から前記本体（１０２）の内部側に向かって突出しており、前記パネル（１０３）と共に前記所定の回動支点（Ｐ１０３）を前記本体（１０２）の下方に導くためのガイド部材（１７１）を有している、
請求項１に記載の空気調和装置の室内機（１０１）。
【請求項５】
前記パネル駆動部（７，１０７）は、前記パネル（３，１０３）を第１直線上の複数点で吊り上げるための複数本の第１ワイヤ（７４ａ〜７４ｂ，１７４ａ〜１７４ｂ）と、各前記第１ワイヤ（７４ａ〜７４ｂ，１７４ａ〜１７４ｂ）の巻き取り及び繰り出しを行う第１昇降部（７５ａ〜７５ｂ，１７５ａ〜１７５ｂ）と、を更に有し、
前記第１昇降部（７５ａ〜７５ｂ，１７５ａ〜１７５ｂ）は、前記パネル（３，１０３）が前記開姿勢を採るように、各前記第１ワイヤ（７４ａ〜７４ｂ，１７４ａ〜１７４ｂ）を繰り出す、
請求項２〜４のいずれかに記載の空気調和装置の室内機（１，１０１）。
【請求項６】
前記パネル駆動部（２０７）は、前記パネル（２０３）を第２直線上の複数点で吊り上げるための複数本の第２ワイヤ（２７１ａ，２７１ｂ）と、前記第２直線上から離れた第３直線上の複数点で前記パネル（２０３）を吊り上げるための複数本の第３ワイヤ（２７１ｃ，２７１ｄ）と、各前記第２ワイヤ（２７１ａ，２７１ｂ）の巻き取り及び繰り出しを行う第２昇降部（２７２ａ，２７２ｂ）と、各前記第３ワイヤ（２７１ｃ，２７１ｄ）の巻き取り及び繰り出しを行う第３昇降部（２７２ｃ，２７２ｄ）とを有し、
前記第２昇降部（２７２ａ，２７２ｂ）及び前記第３昇降部（２７２ｃ，２７２ｄ）は、前記パネル（２０３）が前記閉姿勢から前記開姿勢に至る時、前記パネル（２０３）が前記所定位置まで降下した後前記所定の回動支点（Ｐ２０３）を中心として回動するように、各前記第２ワイヤ（２７１ａ，２７１ｂ）の繰り出し量及び各前記第３ワイヤ（２７１ｃ，２７１ｄ）の繰り出し量をそれぞれ調整する、
請求項１に記載の空気調和装置の室内機（２０１）。
【発明の詳細な説明】
【技術分野】
【０００１】
本発明は、空気調和装置の室内機、特に、本体の下面に室内空気の吸い込み口が位置する天井設置型の空気調和装置の室内機に関する。
【背景技術】
【０００２】
従来より、天井に設置される空気調和装置の室内機としては、例えば特許文献１に開示されているように、本体の下面に吹き出し口を有するものが良く知られている。特許文献１の室内機には、吹き出し口から吹き出される空気の風向きを変更するための水平フラップが、吹き出し口近傍に設けられている。そして、この室内機では、吹き出し口からの送風到達距離が延びるように、異なる２点を中心として水平フラップを回動させることで、水平方向に吹き出される空気の風量を十分に確保している。
【特許文献１】特開２０００―１１１１３５号公報
【発明の開示】
【発明が解決しようとする課題】
【０００３】
ところで、天井に設置される室内機の本体には、吹き出し口の他に、室内空気の吸い込み口が形成されており、吸い込み口の近傍には、吸い込み口を開閉するパネルが設けられている。室内機の意匠性向上のため、このパネルには、吸い込み口を閉じた時にパネルと本体とが比較的フラットになるものが採用されることが多い。しかし、このようなパネルが本体に対し回動して吸い込み口を開放する場合には、パネルが問題なく回動できるように、パネルと本体とのつなぎ目を大きくする必要があるため、室内機の意匠性が損なわれてしまう。
【０００４】
そこで、本発明は、パネルと本体とのつなぎ目を大きくする必要がなく、かつ意匠性が損なわれずに済む空気調和装置の室内機の提供を目的とする。
【課題を解決するための手段】
【０００５】
発明１に係る空気調和装置の室内機は、本体の下面に室内空気の吸い込み口が位置する天井設置型の空気調和装置の室内機であって、パネルと、パネル駆動部とを備える。パネルは、暖房及び冷房を含む運転の停止時には吸い込み口を遮蔽する閉姿勢と、運転時には閉姿勢に対し傾斜することで、吸い込み口を開放する開姿勢とを採り得る。開姿勢の時、パネルは、吸い込み口の近傍である所定位置において、閉姿勢に対し傾斜する。パネル駆動部は、パネルが閉姿勢から開姿勢に至る時、パネルが所定位置まで略水平な状態を保って降下した後、所定の回動支点を中心として回動するように、パネルを動作させる。
【０００６】
この室内機によると、パネルは、閉姿勢から開姿勢となる時、先ずは所定位置まで降下し、降下後に所定の回動支点を中心として回動する。上記動作は、暖房及び冷房を含む運転時に、吸い込み口の近傍にて行われる。これにより、パネルと本体とのつなぎ目が大きくなくても、パネルは問題なく回動して開姿勢を採ることができる。従って、運転停止時における室内機の意匠性が損なわれずに済む。
【０００７】
発明２に係る空気調和装置の室内機は、発明１に係る空気調和装置の室内機であって、パネル駆動部は、第１回動支持部と、第２回動支持部とを有する。第１回動支持部は、パネルの一端部に設けられ、パネルが所定位置まで降下後、その一部が所定の回動支点を成す。第２回動支持部は、本体に設けられ、第１回動支持部に嵌合して第１回動支持部を回動可能に支持する。
【０００８】
この室内機によると、パネルは、先ずは所定位置まで降下すると、本体に設けられている第２回動支持部を軸として回動する。これにより、パネルと本体とのつなぎ目が大きくなくても、パネルは回動して開姿勢を採ることができる。
【０００９】
発明３に係る空気調和装置の室内機は、発明２に係る空気調和装置の室内機であって、第１回動支持部には、長穴が形成されている。この長穴は、第２回動支持部が嵌合して第１回動支持部が本体の下方にスライドするための穴である。
【００１０】
第２回動支持部が第１回動支持部の長穴に嵌合されると、パネルは、第１回動支持部が長穴の分だけ降下することにより降下する。このような簡単な構成で、パネルは、閉姿勢から開姿勢を採ることができる。
【００１１】
発明４に係る空気調和装置の室内機は、発明１に係る空気調和装置の室内機であって、パネル駆動部は、ガイド部材を有している。ガイド部材は、パネルから本体の内部側に向かって突出しており、パネルと共に所定の回動支点を本体の下方に導くためのものである。
【００１２】
この室内機によると、パネルが閉姿勢から開姿勢に至る時、回動支点は、ガイド部材によりパネルと共に降下するようになる。
【００１３】
発明５に係る空気調和装置の室内機は、発明２〜４のいずれかに係る空気調和装置の室内機であって、パネル駆動部は、複数本の第１ワイヤと、第１昇降部とを更に有する。第１ワイヤは、パネルを第１直線上の複数点で吊り上げるためのワイヤである。第１昇降部は、各第１ワイヤの巻き取り及び繰り出しを行う。そして、第１昇降部は、パネルが開姿勢を採るように、各第１ワイヤを繰り出す。
【００１４】
これにより、パネル駆動部が第１及び第２回動支持部を有している場合には、第１回動支持部及び第２回動支持部にかかるパネルの自重等の負荷が軽減され、パネルは安定して開姿勢を採ることができる。また、パネル駆動部がガイド部材を有している場合にも、パネルは安定して開姿勢を採ることができる。
【００１５】
発明６に係る空気調和装置の室内機は、発明１に係る空気調和装置の室内機であって、パネル駆動部は、複数本の第２ワイヤと、複数本の第３ワイヤと、第２昇降部と、第３昇降部とを有する。第２ワイヤは、パネルを第２直線上の複数点で吊り上げるためのワイヤである。第３ワイヤは、第２直線上から離れた第３直線上の複数点でパネルを吊り上げるためのワイヤである。第２昇降部は、各第２ワイヤの巻き取り及び繰り出しを行う。第３昇降部は、各第３ワイヤの巻き取り及び繰り出しを行う。そして、第２昇降部及び第３昇降部は、パネルが閉姿勢から開姿勢に至る時、パネルが所定位置まで降下した後所定の回動支点を中心として回動するように、各第２ワイヤの繰り出し量及び各第３ワイヤの繰り出し量をそれぞれ調整する。
【００１６】
この室内機によると、先ずは閉姿勢であるパネルが降下して所定位置となるまで各ワイヤが繰り出され、次いで特定のワイヤの繰り出しが停止し、残りの他のワイヤは引き続き繰り出される。これにより、パネルと本体とのつなぎ目が大きくなくても、パネルは回動して開姿勢を採ることができる。
【発明の効果】
【００１７】
発明１に係る空気調和装置の室内機によると、パネルと本体とのつなぎ目が大きくなくても、パネルは問題なく回動して開姿勢を採ることができる。従って、運転停止時における室内機の意匠性が損なわれずに済む。
【００１８】
発明２に係る空気調和装置の室内機によると、パネルと本体とのつなぎ目が大きくなくても、パネルは、回動して開姿勢を採ることができる。
【００１９】
発明３に係る空気調和装置の室内機によると、パネルは、簡単な構成により閉姿勢から開姿勢を採ることができる。
【００２０】
発明４に係る空気調和装置の室内機によると、パネルが閉姿勢から開姿勢に至る時、回動支点は、ガイド部材によりパネルと共に降下するようになる。
【００２１】
発明５に係る空気調和装置の室内機によると、パネル駆動部が第１及び第２回動支持部を有している場合には、第１回動支持部及び第２回動支持部にかかるパネルの自重等の負荷が軽減され、パネルは安定して開姿勢を採ることができる。また、パネル駆動部がガイド部材を有している場合にも、パネルは安定して開姿勢を採ることができる。
【００２２】
発明６に係る空気調和装置の室内機によると、先ずは閉姿勢であるパネルが降下して所定位置となるまで各ワイヤが繰り出され、次いで特定のワイヤの繰り出しが停止し、残りの他のワイヤは引き続き繰り出される。従って、パネルと本体とのつなぎ目が大きくなくても、パネルは、回動して開姿勢を採ることができる。
【発明を実施するための最良の形態】
【００２３】
以下、本発明の一実施形態に係る空気調和装置の室内機を、図面を用いて説明する。
【００２４】
＜第１実施形態＞
（１）構成
図１（ａ）及び（ｂ）は、それぞれ本実施形態に係る空気調和装置の室内機１の運転停止時及び運転時の斜視図である。図２（ａ）〜（ｃ）は、図１の室内機１の内部の構成を、室内機１の第１側面２ａ側から見た場合の概略図である。この室内機１は、室内の天井に設置される、いわゆる天井設置型の室内機であって、暖房運転や冷房運転等を行うことができる。
【００２５】
室内機１は、図１、図２及び図６に示すように、本体２、フラットパネル３（パネルに相当）、水平フラップ４、受信部５、運転状態表示部６、パネル駆動部７及び制御部９を備えている。
【００２６】
尚、以下では、例えば本体２の「下方」のように、「上」、「下」、「右」「左」等の方向を示す表現を適宜用いているが、これらは室内機１が図１の状態で室内の天井に取り付けられ、通常使用される場合での各方向を表す。
【００２７】
〔本体〕
本体２は、図１のＷ方向に長い略矩形状の形状を有しており、下面として化粧パネル２ｂを有している。化粧パネル２ｂには、図１及び図２に示すように、吸い込み口２１と吹き出し口２２とが１つずつ形成されている。吸い込み口２１は、室内の空気が吸い込まれるための開口であって、吹き出し口２２は、吸い込み口２１から吸い込まれ室内熱交換器２４により熱交換された後の空気が室内へ吹き出されるための開口である。吸い込み口２１及び吹き出し口２２は、本体２の長手方向（即ち、Ｗ方向）に沿って細長い略矩形状の形状を有している。そして、吸い込み口２１の面積は、吹き出し口２２の面積よりも大きい。
【００２８】
また、本体２の内部には、図２に示すように、主として、送風ファン２３、室内熱交換器２４及びフィルタ２５等が収容されている。送風ファン２３は、吸い込み口２１から吹き出し口２２への空気の流れを生成するためのものである。室内熱交換器２４は、室内の空気と熱交換を行うためのものである。フィルタ２５は、吸い込み口２１近傍に設けられており、吸い込み口２１を通過した空気中の塵埃を捕集する。
【００２９】
〔フラットパネル〕
フラットパネル３は、図１に示すように、吸い込み口２１付近に設けられており、吸い込み口２１の形状と同様、本体２のＷ方向に沿って細長い略矩形状の形状を有している。フラットパネル３は、図２に示すように、フラットパネル３の両端部においてパネル駆動部７と連結している。具体的には、フラットパネル３は、図２のフラットパネル３の右側端部においては、後述する第２回動支持部７２ａ，７２ｂを中心として本体２に対し回動自在に取り付けられている。そして、図２のフラットパネル３の左側端部においては、フラットパネル３は、後述する２本のワイヤ７４ａ，７４ｂで吊り上げられている。
【００３０】
尚、図３に示すように、本実施形態に係るフラットパネル３の長手方向の両端部付近には、それぞれリブ３１ａ，３１ｂが形成されている。これらのリブ３１ａ，３１ｂには、各ワイヤ７４ａ，７４ｂの先端部分が連結される孔３２ａ，３２ｂがそれぞれ形成されており、孔３２ａ，３２ｂは、第１直線Ｘ１上に設けられている。そして、図３においてフラットパネル３の右側端部に位置するリブ３１ａ上の孔３２ａは、吹き出し口２２から離れたフラットパネル３の第１端部３ａ（図１参照）に近い位置に形成されており、フラットパネル３の左側端部に位置するリブ３１ｂ上の孔３２ｂは、吹き出し口２２に近いフラットパネル３の第２端部３ｂ（図１参照）の近くに設けられている。これにより、フラットパネル３は、第１直線Ｘ１上の２点Ｐ１，Ｐ２で吊り上げられるようになる（図１（ｂ））。
【００３１】
上述した構成を有するフラットパネル３は、室内機１の運転停止時には、吸い込み口２１を遮蔽する閉姿勢を採り（図１（ａ），図２（ａ））、室内機１の運転時には、閉姿勢に対し傾斜することで、吸い込み口２１を開放する開姿勢（図１（ｂ），図２（ｃ））を採る。フラットパネル３が開姿勢を採る場合、室内の空気は、図２（ｃ）の矢印Ａの方向から吸い込み口２１を介して本体２内部に送られる。
【００３２】
〔水平フラップ〕
水平フラップ４は、吹き出し口２２から吹き出される空気を、図２（ｂ）及び（ｃ）の矢印Ｂの方向に案内するためのものであって、吹き出し口２２を開閉可能に設けられている。水平フラップ４は、運転停止時には吹き出し口２２を閉じ、運転時には吸い込み口２１側の端部を軸として回動し、吹き出し口２２を開放する。このような水平フラップ４は、モータ４ａ（図６）やギア（図示せず）等により回転駆動される。
【００３３】
〔受信部及び運転状態表示部〕
受信部５及び運転状態表示部６は、図１に示すように、本体２の化粧パネル２ｂに設けられている。受信部５は、リモートコントローラから送信される各種運転の開始指示や各種設定等を受信可能なように設けられている。運転状態表示部６は、例えばＬＥＤで構成され、室内機１の運転状況に応じて点灯や点滅を行うことにより、室内機１が現在行っている運転状況を室内機１の利用者に知らせることができる。
【００３４】
〔パネル駆動部〕
パネル駆動部７は、フラットパネル３が開姿勢や閉姿勢を採るように、フラットパネル３を動作させる。特に、本実施形態に係るパネル駆動部７は、フラットパネル３が閉姿勢から開姿勢に至る時、フラットパネル３が所定位置まで降下した後（図２（ｂ））所定の回動支点を中心として回動するように（図２（ｃ））、フラットパネル３を動作させる。以下では、このようにフラットパネル３を動作させるためのパネル駆動部７の構成について説明する。
【００３５】
図２のフラットパネル３の右側端部におけるパネル駆動部７は、図２〜図４，図６に示すように、第１回動支持部７１ａ，７１ｂ及び第２回動支持部７２ａ，７２ｂを有している。第１回動支持部７１ａ，７１ｂは、フラットパネル３の一端部、具体的にはフラットパネル３の第２端部３ｂの両端部付近にそれぞれ１つずつ設けられており、フラットパネル３が所定位置まで降下後、その一部が所定の回動支点Ｐ３を成す。より具体的には、第１回動支持部７１ａ，７１ｂは、フラットパネル３が閉姿勢を採る場合に本体２の内側を向くフラットパネル３の面３ｃから上方に突出した形状を有しており、長穴７３ａ，７３ｂが形成されている。長穴７３ａ，７３ｂは、第２回動支持部７２ａ，７２ｂが嵌合し、第１回動支持部７１ａ，７１ｂが本体２の下方にスライドするための孔である。長穴７３ａ，７３ｂは、フラットパネル３が所定位置まで降下する時の降下量に合わせて、縦方向に細長い形状を有している。
【００３６】
第２回動支持部７２ａ，７２ｂは、本体２に設けられており、第１回動支持部７１ａ，７１ｂの長穴７３ａ，７３ｂそれぞれに嵌合して第１回動支持部７１ａ，７１ｂを回動可能に支持する。即ち、第２回動支持部７２ａ，７２ｂは、第１回動支持部７１ａ，７１ｂに嵌合された場合、フラットパネル３の回動軸としての役割を担うことができる。尚、第２回動支持部７２ａ，７２ｂは、図示しないモータやギア等で構成される軸駆動部８１ａ，８１ｂに連結されている。この軸駆動部８１ａ，８１ｂにより、第２回動支持部７２ａ，７２ｂは、図４の矢印Ｃの方向または矢印Ｃと逆の方向に移動し、長穴７３ａ，７３ｂに抜き差しされる。ここで、軸駆動部８１ａ，８１ｂは、第２回動支持部７２ａ，７２ｂと同様、本体２に設けられている。また、本実施形態では、第２回動支持部７２ａ，７２ｂは、運転時及び運転停止時共に、図２（ａ）に示すように、常に第１回動支持部７１ａ，７１ｂの長穴７３ａ，７３ｂに嵌合された状態にあるとする。
【００３７】
図２のフラットパネル３の左側端部におけるパネル駆動部７は、図２，図６に示すように、２本のワイヤ７４ａ，７４ｂ（第１ワイヤに相当）及び２つの昇降部７５ａ，７５ｂ（第１昇降部に相当）を有している。各ワイヤ７４ａ，７４ｂの一端は、フラットパネル３のリブ３１ａ，３１ｂ上の孔３２ａ，３２ｂに連結され、他端は、各昇降部７５ａ，７５ｂに連結されている。この２本のワイヤ７４ａ，７４ｂは、図１（ｂ）に示すように、フラットパネル３の手前側の第１端部３ａに近い部分及びフラットパネル３の奥側の第２端部３ｂに近い部分を吊り上げる。昇降部７５ａ，７５ｂは、ワイヤ７４ａ，７４ｂの巻き取り及び繰り出しを行う。尚、昇降部７５ａ及び昇降部７５ｂは、巻き取り等を行うワイヤが異なる他は、同様の構成を有するため、以下では、昇降部７５ａの構成を例にとり説明する。
【００３８】
昇降部７５ａは、図５に示すように、滑車８２、巻取り歯車８３、駆動歯車８４、モータ８５及びスイッチ８６を含む。滑車８２は、滑車部８２ａとカム部８２ｂとが一体に成形されており、滑車部８２ａは、ワイヤ７４ａを支持すると共に、ワイヤ７４ａの移動に伴って回転する。カム部８２ｂは、小径曲面部分、大径曲面部分、及びこれらの両曲面部分を結ぶ平面部分とで構成される。巻取り歯車８３は、ワイヤ７４ａを巻取るボビン８３ａと歯車部８３ｂとを有し、これらは一体成形されている。駆動歯車８４は、巻取り歯車８３の歯車部８３ｂと噛み合い、ボビン８３ａを回転させる。モータ８５は、駆動歯車８４を回転駆動させるためのステッピングモータである。スイッチ８６は、レバー８６ａを有するマイクロスイッチであって、レバー８６ａが押されることによってオンする。レバー８６ａは、常に滑車８２のカム部８２ｂと接触しており、カム部８２ｂとの接触部分が小径曲面部分から大径曲面部分に、または大径曲面部分から小径曲面部分となった時に押される。
【００３９】
このような構成を有するパネル駆動部７によると、フラットパネル３が閉姿勢である時は、第２回動支持部７２ａ，７２ｂは、第１回動支持部７１ａ，７１ｂの長穴７３ａ，７３ｂの下側端部に嵌合された状態にある（図２（ａ））。この状態からフラットパネル３が開姿勢に至る時、先ずは、昇降部７５ａ，７５ｂにより各ワイヤ７４ａ，７４ｂが繰り出される。すると、第１回動支持部７１ａ，７１ｂは、長穴７３ａ，７３ｂにより本体２の下方にスライドし、フラットパネル３は、略水平な状態を保って第１回動支持部７１ａ，７１ｂと共に降下する（図２（ｂ））。
【００４０】
やがて、長穴７３ａ，７３ｂの上側端部が第２回動支持部７２ａ，７２ｂに到達すると、第１回動支持部７１ａ，７１ｂのスライドは停止する。この時、フラットパネル３は、所定位置まで降下していることになる。第１回動支持部７１ａ，７１ｂのスライドが停止した後、ワイヤ７４ａ，７４ｂは、昇降部７５ａ，７５ｂにより更に所定の長さだけ繰り出される。すると、フラットパネル３は、長穴７３ａ，７３ｂの上側端部に嵌合された状態の第２回動支持部７２ａ，７２ｂを軸として回動し、閉姿勢に対して傾斜する開姿勢となる（図２（ｃ））。
【００４１】
〔制御部〕
制御部９は、本体２の内部に収容されており、ＣＰＵ及びメモリからなるマイクロコンピュータや、各種モータのドライブ回路が実装された基板等で構成されている。制御部９は、図６に示すように、主として、受信部５、運転状態表示部６、送風ファン２３の回転駆動源であるファンモータ２３ａ、水平フラップ４駆動用のモータ４ａと接続されているおり、接続された各機器の制御を行う。例えば、制御部９は、受信部５がリモートコントローラから受信した各種運転の開始指示等に基づいて、水平フラップ４による吹き出し口２２の開閉制御や、ファンモータ２３ａの回転駆動制御、運転状態表示部６の表示状態の制御を行う。
【００４２】
特に、本実施形態に係る制御部９は、第２回動支持部７２ａ，７２ｂを駆動するための軸駆動部８１ａ，８１ｂ及び昇降部７５ａ，７５ｂ（具体的には、昇降部７５ａ，７５ｂに含まれるモータ８５やスイッチ８６）とも接続されており、受信部５が受信した各種運転の開始指示等に基づいて、フラットパネル３の動作制御を行う。例えば、受信部５がリモートコントローラから室内機１の運転開始指示を受信した場合、２本のワイヤ７４ａ，７４ｂが繰り出されるように、モータ８５の駆動制御を行う。そして、制御部９は、スイッチ８６の押下に基づいて、モータ８５の回転数制御を行い、ワイヤ７４ａ，７４ｂが繰り出される速度や量を調整する。また、室内機１が運転している状態において受信部５が運転停止の指示を受信した場合には、制御部９は、２本のワイヤ７４ａ，７４ｂが巻き取られるように、モータ８５の駆動制御を行う。
【００４３】
（２）動作
次に、本実施形態に係る室内機１の動作について説明する。
【００４４】
室内機１が運転を停止している時は、フラットパネル３及び水平フラップ４は、吸い込み口２１及び吹き出し口２２それぞれを完全にふさいでおり、第２回動支持部７２ａ，７２ｂは、第１回動支持部７１ａ，７１ｂの長穴７３ａ，７３ｂの下側端部に嵌合されている（図２（ａ））。この状態で、受信部５が運転開始の指示をリモートコントローラから受信すると、２本のワイヤ７４ａ，７４ｂが繰り出されるため、フラットパネル３は、略水平に所定の位置だけ降下後（図２（ｂ））、回動支点Ｐ３を中心として回動し（図２（ｃ））、開姿勢となる。また、水平フラップ４は、吹き出し口２２を開放する。
【００４５】
次いで、受信部５がリモートコントローラから運転停止を受信した場合、２本のワイヤ７４ａ，７４ｂは巻き取られ、フラットパネル３は吸い込み口２１を遮蔽する。また、水平フラップ４は、運転開始時に回動した方向とは逆の方向に回動し、吹き出し口２２を遮蔽する（図２（ａ））。
【００４６】
（３）効果
（Ａ）
本実施形態に係る室内機１によると、フラットパネル３は、閉姿勢から開姿勢となる時、先ずは所定位置まで降下し、降下後に所定の回動支点Ｐ３を中心として回動する。これにより、フラットパネル３と本体２とのつなぎ目が大きくなくても、フラットパネル３は回動して開姿勢を採ることができる。従って、室内機１の意匠性が損なわれずに済む。
【００４７】
（Ｂ）
また、フラットパネル３は、室内機１の運転停止時には閉姿勢を採り、運転時には開姿勢を採る。従って、特に、運転停止時における室内機１の意匠性が損なわれずに済む。
【００４８】
（Ｃ）
また、パネル駆動部７は、フラットパネル３に設けられた第１回動支持部７１ａ，７１ｂと、本体２に設けられた第２回動支持部７２ａ，７２ｂとを有する。これにより、フラットパネル３は、先ずは所定位置まで降下すると、第２回動支持部７２ａ，７２ｂを軸として回動することができる。従って、フラットパネル３と本体２とのつなぎ目が大きくなくても、フラットパネル３は、回動して開姿勢を採ることができる。
【００４９】
（Ｄ）
また、第１回動支持部７１ａ，７１ｂには、第２回動支持部７２ａ，７２ｂが嵌合して第１回動支持部７１ａ，７１ｂが本体２の下方にスライドするための長穴７３ａ，７３ｂが形成されている。これにより、フラットパネル３は、第１回動支持部７１ａ，７１ｂが長穴７３ａ，７３ｂの分のだけ降下するのに伴い降下することができる。このような簡単な構成で、フラットパネル３は、閉姿勢から開姿勢を採ることができる。
【００５０】
（Ｅ）
更に、パネル駆動部７は、２本のワイヤ７４ａ，７４ｂと、２つの昇降部７５ａ，７５ｂとを更に有する。ワイヤ７４ａ，７４ｂは、フラットパネル３を２点で吊り上げるためのワイヤであって、昇降部７５ａ，７５ｂは、各ワイヤ７４ａ，７４ｂの巻き取り及び繰り出しを行う。昇降部７５ａ，７５ｂは、フラットパネル３が開姿勢を採るように、各ワイヤ７４ａ，７４ｂを繰り出す。これにより、第１回動支持部７１ａ，７１ｂ及び第２回動支持部７２ａ，７２ｂにかかるフラットパネルの自重等の負荷が軽減され、フラットパネル３は安定して開姿勢を採ることができる。
【００５１】
（４）変形例
（ａ）
上記第１実施形態では、フラットパネル３が、第１回動支持部７１ａ，７１ｂ及び第２回動支持部７２ａ，７２ｂにより本体２に支持されると共に、ワイヤ７４ａ，７４ｂ及び昇降部７５ａ，７４ｂにより吊り上げられている場合について説明した。しかし、フラットパネルは、その重量が第１及び第２回動支持部のみで本体に支持されることが可能であれば、ワイヤ及び昇降部により吊り上げられずともよい。
【００５２】
（ｂ）
上記第１実施形態では、フラットパネル３が２本のワイヤ７４ａ，７４ｂで吊り下げられている場合について説明したが、フラットパネルは、２本以上のワイヤで吊り上げられてもよい。
【００５３】
（ｃ）
上記第１実施形態では、第１回動支持部７１ａ，７１ｂに長穴７３ａ，７３ｂが形成されている場合について説明した。しかし、本体２に設けられており、かつフラットパネル３の回動軸となる第２回動支持部が第１回動支持部に嵌合可能な構成であれば、第１回動支持部には、長穴以外のものが形成されていてもよい。長穴以外の構成としては、例えばレール等が上げられる。
【００５４】
（ｄ）
上記第１実施形態に係る昇降部７５ａ，７５ｂは、室内機１のメンテナンスが行われる場合、フィルタ２５が支持されたフラットパネル３を本体２から離れた位置に降下させてもよい。この場合、軸駆動部８１ａ，８１ｂは、第２回動支持部７２ａ，７２ｂを図４の矢印Ｃとは逆の方向に移動させ、長穴７３ａ，７３ｂから離れさせる。これにより、フラットパネル３は、２本のワイヤ７４ａ，７４ｂでのみ本体２に連結された状態となるため、問題なく降下することができる。
【００５５】
（ｅ）
上記第１実施形態では、運転停止時及び運転時には、第２回動支持部７２ａ，７２ｂが常に長穴７３ａ，７３ｂに嵌合された状態である場合について説明した。しかし、第２回動支持部７２ａ，７２ｂは、運転停止時には長穴７３ａ，７３ｂから離れ、運転が行われる時のみ長穴７３ａ，７３ｂに嵌合されてもよい。
【００５６】
＜第２実施形態＞
次に、本発明の第２実施形態に係る空気調和装置の室内機１０１について、図７及び図８を用いて説明する。図７（ａ）〜（ｃ）は、第２実施形態に係る室内機１０１の内部の構成を示す概要図であって、図８は、室内機１０１を構成する各機器を模式的に示すブロック図である。
【００５７】
（１）構成
室内機１０１は、第１実施形態と同様、天井設置型の空気調和装置の室内機である。室内機１０１は、主として、本体１０２、フラットパネル１０３、水平フラップ１０４、受信部１０５、運転状態表示部１０６、パネル駆動部１０７及び制御部１０９を備えている。本体１０２の下面である化粧パネル１０２ｂには、空気の吸い込み口１２１及び吹き出し口１２２が１つずつ形成されており、本体１０２の内部には、送風ファン１２３、室内熱交換器１２４及びフィルタ１２５が収容されている。尚、水平フラップ１０４、受信部１０５及び運転状態表示部１０６は、第１実施形態で同じ名称を付して示した図１に係る水平フラップ４、受信部５及び運転状態表示部１０６と同様であるため、詳細な説明を省略する。
【００５８】
〔フラットパネル〕
フラットパネル１０３は、第１実施形態と同様、細長い略矩形状の形状を有しており、図７に示すように、フラットパネル１０３の両端部においてパネル駆動部１０７と連結している。具体的には、フラットパネル１０３は、図７のフラットパネル１０３の右側端部においては、後述するガイド部材１７１及びガイド用ギア１７２を介して本体１０２に連結されており、ガイド部材１７１の下端部に位置する回動支点Ｐ１０３を中心としてガイド部材１７１に対し回動可能に、ガイド部材１７１に連結されている。そして、フラットパネル１０３は、図７のフラットパネル１０３の左側端部においては、第１実施形態と同様、後述する２本のワイヤ１７４ａ，１７４ｂにより２点で吊り上げられている。
【００５９】
尚、フラットパネル１０３は、孔が形成されたリブを備えているが、これについては第１実施形態と同様であるため、説明を省略する。
【００６０】
〔パネル駆動部〕
パネル駆動部１０７は、フラットパネル１０３が閉姿勢から開姿勢に至る時、フラットパネル１０３が所定位置まで降下した後（図７（ｂ））所定の回動支点Ｐ１０３を中心として回動するように（図７（ｃ））、フラットパネル１０３を動作させる。
【００６１】
具体的には、図７のフラットパネル１０３の右側端部におけるパネル駆動部１０７は、主として、ガイド部材１７１及びガイド用ギア１７２を有している。ガイド部材１７１は、フラットパネル１０３から本体１０２の内部側に向かって突出した細長い矩形形状を有しており、フラットパネル１０３との連結部分において所定の回動支点Ｐ１０３を有している。このようなガイド部材１７１は、フラットパネル１０３と共に所定の回動支点Ｐ１０３を本体１０２の下方に導く役割を担う。図７において、ガイド部材１７１の右側端部には、ガイド用ギア１７２と噛み合うラックが形成されている。このラックは、フラットパネル１０３が所定位置まで降下するのに必要な長さだけ、ガイド部材１７１のガイド用ギア１７２側（即ち、ガイド部材１７１の右側部分）に形成されている。ガイド用ギア１７２は、本体１０２に対し回転可能なように本体１０２に支持されており、ガイド部材１７１のラックと噛み合いながら反時計回りに回転することで、ガイド部材１７１及びフラットパネル１０３を降下させる。また、ガイド用ギア１７２は、ガイド部材１７１及びフラットパネル１０３を降下させる時とは逆に時計回りに回転することにより、ガイド部材１７１及びフラットパネル１０３を上昇させることができる。このようなガイド用ギア１７２は、モータ１７２ａ（図８）により回転駆動される。尚、本実施形態では、ガイド部材１７１及びガイド用ギア１７２は、運転時及び運転停止時共に、図７（ａ）に示すように、常に噛み合った状態にあるとする。
【００６２】
また、図７のフラットパネル１０３の左側端部におけるパネル駆動部１０７は、主として、フラットパネル１０３を２点で吊り上げるための２本のワイヤ１７４ａ，１７４ｂと、各ワイヤ１７４ａ，１７４ｂの巻き取り及び繰り出しを行う２つの昇降部１７５ａ，１７５ｂ（第１昇降部に相当）とを有している。尚、ワイヤ１７４ａ，１７４ｂ及び昇降部１７５ａ，１７５ｂについては、第１実施形態に係るワイヤ７４ａ，７４ｂ及び昇降部７５ａ，７５ｂと同様であるため、説明を省略する。
【００６３】
このような構成を有するパネル駆動部１０７によると、フラットパネル１０３が閉姿勢である時は、ガイド部材１７１及びガイド用ギア１７２は、フラットパネル１０３が吸い込み口１２１を閉じる位置となるように噛み合っている状態にある（図７（ａ））。この状態からフラットパネル１０３が開姿勢に至る時、ガイド用ギア１７２は反時計回りに回転し、昇降部１７５ａ，１７５ｂは、ワイヤ１７４ａ，１７４ｂを繰り出す。すると、ガイド部材１７１は吸い込み口１２１から下方に突出するため、フラットパネル１０３は、本体１０２の下方に略水平な状態を保って降下する（図７（ｂ））。この時、回動支点Ｐ１０３は、フラットパネル１０３と共に吸い込み口１２１の下方に降下する。
【００６４】
やがて、ガイド用ギア１７２とガイド部材１７１のラックとの噛み合い部分がラックの終端部分にさしかかると、ガイド部材１７１の下方への突出及びフラットパネル１０３の降下は停止する。この時、フラットパネル１０３は、所定位置まで降下していることになる。この状態後、昇降部１７５ａ，１７５ｂは、ワイヤ１７４ａ，１７４ｂを更に所定の長さだけ繰り出す。すると、フラットパネル１０３は、回動支点Ｐ１０３を中心として回動し、閉姿勢に対して傾斜する開姿勢となる（図７（ｃ））。
【００６５】
〔制御部〕
制御部１０９は、図８に示すように、受信部１０５、運転状態表示部１０６、送風ファン１２３駆動用のファンモータ１２３ａ、水平フラップ１０４駆動用のモータ１０４ａの他、ガイド用ギア１７２駆動用のモータ１７２ａ、昇降部１７５ａ，１７５ｂのモータやスイッチ等と接続されており、接続された各機器の制御を行う。
【００６６】
例えば、制御部１０９は、受信部１０５がリモートコントローラから室内機１０１の運転開始指示を受信した場合、ガイド用ギア１７２が反時計回りに回転するように、モータ１７２ａの駆動制御を行うと共に、各ワイヤ１７４ａ，１７４ｂが繰り出されるように、昇降部１７５ａ，１７５ｂ（具体的には、昇降部１７５ａ，１７５ｂ内に含まれるモータ）を駆動させる。そして、制御部１０９は、フラットパネル１０３が回動支点Ｐ１０３を中心として回動して開姿勢を採るように、各ワイヤ１７４ａ，１７４ｂが繰り出される速度や量を調整する。
【００６７】
また、制御部１０９は、受信部１０５が室内機１０１の運転停止指示を受信した場合、各ワイヤ１７４ａ，１７４ｂが巻き取られ、かつガイド用ギア１７６が時計回りに回転してフラットパネル１０３が閉姿勢を採るように、昇降部１７５ａ，１７５ｂ及びモータ１７６ａの駆動制御を行う。
【００６８】
（２）効果
（Ａ）
室内機１０１のパネル駆動部１０７は、フラットパネル１０３から本体１０２の内部側に向かって突出し、フラットパネル１０３と共に所定の回動支点Ｐ１０３を本体１０２の下方に導くガイド部材１７１を有している。即ち、本実施形態に係る室内機１０１によると、ガイド部材１７１により、フラットパネル１０３及び回動支点Ｐ１０３が本体１０２の下方に下降するため、降下後のフラットパネル１０３は、問題なく回動することができる。
【００６９】
（Ｂ）
また、パネル駆動部１０７は、第１実施形態と同様、２本のワイヤ１７４ａ，１７４ｂと、２つの昇降部１７５ａ，１７５ｂとを更に有する。ワイヤ１７４ａ，１７４ｂは、フラットパネル１０３を２点で吊り上げるためのワイヤであって、昇降部１７５ａ，１７５ｂは、各ワイヤ１７４ａ，１７４ｂの巻き取り及び繰り出しを行う。昇降部１７５ａ，１７５ｂは、フラットパネル１０３が開姿勢を採るように、各ワイヤ１７４ａ，１７４ｂを繰り出す。これにより、フラットパネル１０３は安定して開姿勢を採ることができる。
【００７０】
（３）変形例
（ａ）
上記第２実施形態では、所定の回動支点Ｐ１０３が、フラットパネル１０３とガイド部材１７１との連結部分に位置している場合について説明したが、所定の回動支点の位置はこれに限定されない。本実施形態に係るパネル駆動部は、所定の回動支点がフラットパネルと共に降下するようなガイド部材を有していればよい。図９は、所定の回動支点Ｐ１０３'がガイド部材１７１'上に位置する場合の室内機１０１'の一部分を示した図である。尚、この場合のガイド部材１７１'は、上下に分かれた部材であって、これらの部品のつなぎ目は回動可能に連結されている。この連結部分が、フラットパネル１０３が回動する時の回動支点Ｐ１０３'となる。
【００７１】
これにより、上記第２実施形態と同様、ガイド部材１７１'により、フラットパネル１０３及び所定の回動支点Ｐ１０３'が本体１０２の下方に下降するため、降下後のフラットパネル１０３は、問題なく回動することができる。
【００７２】
（ｂ）
上記第２実施形態では、ラックは、フラットパネル１０３が所定位置まで降下するのに必要な長さだけ、ガイド部材１７１の右側部分に形成されている場合について説明した。しかし、ガイド部材１７１に形成されるラックの長さは、これに限定されない。フラットパネル１０３が所定位置まで降下した時にガイド用ギア１７２の回転を停止するような制御が制御部１０９によりなされれば、ガイド部材１７１に形成されるラックの長さはそれ以上であってもよい。
【００７３】
（ｃ）
上記第２実施形態では、ガイド部材１７１及びガイド用ギア１７２が常に噛み合っている場合について説明した。しかし、ガイド部材１７１及びガイド用ギア１７２は、互いに離れることができるような構成を有していても良い。例えば、室内機１０１のメンテンナンス時にはガイド部材１７１がガイド用ギア１７２から離れることにより、フラットパネル１０３は、本体１０２の下方に降下することができる。
【００７４】
（ｄ）
上記第２実施形態では、フラットパネル１０３が、ガイド部材１７１及びガイド用ギア１７２を介して本体１０２に支持されると共に、ワイヤ１７４ａ，１７４ｂ及び昇降部１７５ａ，１７５ｂを介して本体１０２に支持されている場合について説明した。しかし、フラットパネル１０３の重量がガイド部材１７１及びガイド用ギア１７２のみで本体１０２に支持可能であれば、フラットパネル１０３は、ワイヤ１７４ａ，１７４ｂ及び昇降部１７５ａ，１７５ｂを設けずとも良い。
【００７５】
（ｅ）
上記第２実施形態では、フラットパネル１０３が２本のワイヤ１７４ａ，１７４ｂにより２点で吊り下げられている場合について説明したが、フラットパネル１０３は、２本以上のワイヤで吊り上げられてもよい。
【００７６】
＜第３実施形態＞
次に、本発明の第３実施形態に係る空気調和装置の室内機２０１について、図１０〜図１３を用いて説明する。図１０は、室内機２０１の運転時の斜視図である。図１１（ａ）〜（ｃ）は、図１０の室内機２０１の内部の構成を、室内機２０１の第１側面２０２ａ側から見た場合の概略図である。図１２は、フラットパネル２０３の拡大図であって、図１３は、室内機２０１を構成する各機器を模式的に示すブロック図である。
【００７７】
（１）構成
室内機２０１は、第１及び第２実施形態と同様、天井設置型の空気調和装置の室内機であって、主として、本体２０２、フラットパネル２０３、水平フラップ２０４、受信部２０５、運転状態表示部２０６、パネル駆動部２０７及び制御部２０９を備えている。本体２０２の下面である化粧パネル２０２ｂには、吸い込み口２２１及び吹き出し口２２２が１つずつ形成されており、本体部２０２の内部には、送風ファン２２３、室内熱交換器２２４及びフィルタ２２５等が収容されている。尚、水平フラップ２０４、受信部２０５及び運転状態表示部２０６は、第１実施形態で同じ名称を付して示した図１に係る水平フラップ４、受信部５及び運転状態表示部６と同様であるため、詳細な説明を省略する。
【００７８】
〔フラットパネル〕
フラットパネル２０３は、図１０に示すように、本体２０２の吸い込み口２２１の形状と同様、本体２０２のＷ方向に沿って細長い略矩形状の形状を有している。フラットパネル２０３は、後述する４本のワイヤ２７１ａ，２７１ｂ，２７１ｃ，２７１ｄによりフラットパネル２０３の角付近の４点で吊り上げられている。このようなフラットパネル２０３には、図１２に示すように、各ワイヤ２７１ａ〜２７１ｄの先端が連結されるための孔２３２ａ〜２３２ｄを有するリブ２３１ａ，２３１ｂが設けられている。
【００７９】
ここで、リブ２３１ａは、第２直線Ｘ２上、即ち、図１２においてフラットパネル２０３の長手方向の右側端部に沿って設けられている。リブ２３１ｂは、第２直線Ｘ２から離れた第３直線Ｘ３上、即ち、フラットパネル２０３の長手方向の左側端部に沿って設けられている。
【００８０】
〔パネル駆動部〕
パネル駆動部２０７は、フラットパネル２０３が閉姿勢から開姿勢に至る時、フラットパネル２０３が所定位置まで降下した後（図１１（ｂ））所定の回動支点Ｐ２０３を中心として回動するように（図１１（ｃ））、フラットパネル２０３を動作させる。
【００８１】
具体的には、パネル駆動部２０７は、４本のワイヤ２７１ａ〜２７１ｄ（第２ワイヤ及び第３ワイヤに相当）及び４つの昇降部２７２ａ，２７２ｂ，２７２ｃ，２７２ｄ（第２昇降部及び第３昇降部に相当）を有している。各ワイヤ２７１ａ〜２７１ｄの一端は、フラットパネル２０３のリブ２３１ａ，２３１ｂ上の孔２３２ａ〜２３２ｄに連結され、他端は、各昇降部２７２ａ〜２７２ｄに連結されている。各昇降部２７２ａ〜２７２ｄは、各ワイヤ２７１ａ〜２７１ｄの巻き取り量及び繰り出し量を調整しながら各ワイヤ２７１ａ〜２７１ｄの巻き取り及び繰り出しを行うものであって、第１実施形態と同様、滑車や、巻取り歯車、モータ、スイッチ等で構成されている。
【００８２】
このような構成を有するパネル駆動部２０７によると、フラットパネル２０３が閉姿勢である時は、各ワイヤ２７１ａ〜２７１ｄは巻き取られた状態にある（図１１（ａ））。この状態からフラットパネル２０３が開姿勢に至る時、先ずは、各昇降部２７２ａ〜２７２ｄにより各ワイヤ２７１ａ〜２７１ｄが同じ速度で繰り出される。すると、フラットパネル２０３は、本体２０２の下方に略水平な状態を保って降下する（図１１（ｂ））。尚、この時、各ワイヤ２７１ａ〜２７１ｄは、フラットパネル２０３の位置が所定位置に至るまで繰り出されるとする。
【００８３】
やがて、フラットパネル２０３の位置が所定位置に至ると、４つの昇降部２７２ａ〜２７２ｄのうち、吹き出し口２２２側に位置する昇降部２７２ａ，２７２ｄは、ワイヤ２７１ａ，２７１ｄの繰り出しを停止する。残りの昇降部２７２ｂ，２７２ｃは、フラットパネル２０３が水平な方向に対し所定の角度傾斜するように、ワイヤ２７１ｂ，２７１ｃの繰り出しを継続する。すると、フラットパネル２０３は、回動支点Ｐ２０３を中心として回動し、閉姿勢に対して傾斜する開姿勢となる（図１１（ｃ））。
【００８４】
〔制御部〕
制御部２０９は、図１３に示すように、受信部２０５、運転状態表示部２０６、送風ファン２２３駆動用のファンモータ２２３ａ、水平フラップ２０４駆動用のモータ２０４ａの他、昇降部２７２ａ〜２７２ｄのモータやスイッチ等と接続されており、接続された各機器の制御を行う。
【００８５】
例えば、制御部２０９は、受信部２０５がリモートコントローラから室内機２０１の運転開始指示を受信した場合、各ワイヤ２７１ａ〜２７１ｄが繰り出されるように、各昇降部２７２ａ〜２７２ｄ（具体的には、各昇降部２７２ａ〜２７２ｄ内に含まれるモータ）を駆動させる。また、制御部２０９は、受信部２０５が室内機２０１の運転停止指示を受信した場合、各ワイヤ２７１ａ〜２７１ｄが巻き取られてフラットパネル２０３が上昇するように、昇降部２７２ａ〜２７２ｄの駆動制御を行う。
【００８６】
（２）効果
室内機２０１のパネル駆動部１０７は、４本のワイヤ２７１ａ〜２７１ｄと、４つの昇降部２７２ａ〜２７２ｄとを有している。各昇降部２７２ａ〜２７２ｄは、フラットパネル２０３が閉姿勢から開姿勢に至る時、フラットパネル２０３が所定位置まで降下した後所定の回動支点Ｐ２０３を中心として回動するように、各ワイヤ２７１ａ〜２７１ｄの繰り出し量をそれぞれ調整する。具体的には、先ずは閉姿勢であるフラットパネル２０３が降下して所定位置となるまで４本のワイヤ２７１ａ〜２７１ｄ全てが繰り出される。次いで、吹き出し口２２２側の２本のワイヤ２７１ａ，２７１ｄの繰り出しが停止すると共に、残りのワイヤ２７１ｂ，２７１ｃは引き続き繰り出される。これにより、フラットパネル２０３と本体２０２とのつなぎ目が大きくなくても、フラットパネル２０３は、回動して開姿勢を採ることができる。
【００８７】
（３）変形例
上記第３実施形態では、パネル駆動部２０７が４本のワイヤ２７１ａ〜２７１ｄ及び４つの昇降部２７２ａ〜２７２ｄを有しており、フラットパネル２０３が角部の４点で吊り下げられている場合について説明した。しかし、フラットパネル２０３を吊り上げるためのワイヤ及び昇降部の数は、これに限定されない。即ち、パネル駆動部は、第２直線Ｘ２上の複数点（即ち、２点以上）でフラットパネルを吊り上げるための複数本のワイヤと、第３直線Ｘ３上の複数点（即ち、２点以上）でフラットパネルを吊り上げるための複数本のワイヤと、これらの各ワイヤの巻き取り及び繰り出しを行うための複数の昇降部とを有していれば良い。
【００８８】
このような構成を有するパネル駆動部は、フラットパネルが閉姿勢から開姿勢に至る時、フラットパネルが所定位置まで降下した後所定の回動支点を中心として回動するように、各ワイヤの繰り出し量を調整する。これにより、上記第３実施形態と同様、フラットパネルと本体とのつなぎ目が大きくなくても、フラットパネルは、回動して開姿勢を採ることができる。
【００８９】
＜その他の実施形態＞
以上、第１実施形態〜第３実施形態において、本発明に係る空気調和装置の室内機について具体的に説明したが、本発明の室内機は、フラットパネルが所定位置まで降下後所定の回動支点を中心として回動することができるような構成を有するものであればよく、上記第１〜第３実施形態の構成に限定されない。空気調和装置の室内機のその他の例としては、例えば図１４に示す室内機３０１が挙げられる。
【００９０】
図１４は、室内機３０１内部の一部分を示した図である。室内機３０１は、下面に吸い込み口３２１を有する本体３０２、吸い込み口３２１を遮蔽及び開放するフラットパネル３０３、フラットパネル３０３を所定位置まで降下するためのガイド部材３７１、本体３０２側に設けられたガイド用ギア３７２を有している。ガイド部材３７１は、本体３０２の内部側に向かって突出し、略くの字状の形状を有している。より具体的には、フラットパネル３０３が閉姿勢を採る時、ガイド部材３７１の下側部分は、フラットパネル３０３の略垂直方向に突出しており、ガイド部材３８１の上側部分は、図１４の右側方向に傾斜している。また、ガイド部材３７１の右側部分には、ガイド用ギア１７２と噛み合うためのラックが、ガイド部材３７１の形状に沿って形成されている。
【００９１】
このような室内機３０１によると、フラットパネル３０３が閉姿勢である時は、ガイド部材３７１及びガイド用ギア３７２は、フラットパネル１０３が吸い込み口１２１を閉じる位置となるように噛み合っている状態にある（図１４（ａ））。この状態からフラットパネル３０３が開姿勢に至る時、先ずはガイド部材３７１が吸い込み口３２１から下方に突出し、フラットパネル３０３は、本体３０２の下方に略水平な状態を保って降下する（図１４（ｂ））。
【００９２】
やがて、ガイド用ギア３７２が、ガイド部材３７１の折れ曲がり部分を経てガイド部材３７１の上側部分のラックと噛み合うと、フラットパネル３０３は、所定の回動支点Ｐ３０３を中心として回動し、閉姿勢に対して傾斜する開姿勢となる（図１４（ｃ））。尚、図１４では、一例として、所定の回動支点Ｐ３０３がガイド部材３７１上に位置している場合を図示しているが、所定の回動支点Ｐ３０３の位置は、ガイド部材３７１の折れ曲がり具合等に応じて適宜決定される。
【００９３】
このような構成を有する室内機３０１によると、第１実施形態〜第３実施形態と同様、フラットパネル３０３が閉姿勢から開姿勢に至る時、フラットパネル３０３は、先ずは所定位置まで降下し、その後所定の回動支点Ｐ３０３を中心として回動することができる。従って、フラットパネル３０３と本体３０２とのつなぎ目が大きくなくても、フラットパネル３０３は回動して開姿勢を採ることができるため、室内機３０１の意匠性が損なわれずに済む。
【産業上の利用可能性】
【００９４】
本発明は、パネルとケーシングとのつなぎ目を大きくする必要がなく、意匠性を損なわずに済む効果を有しており、天井設置型の空気調和装置の室内機に適用することができる。
【図面の簡単な説明】
【００９５】
【図１】（ａ）第１実施形態に係る室内機の斜視図であって、室内機が閉姿勢を採る場合の図。  （ｂ）第１実施形態に係る室内機の斜視図であって、室内機が開姿勢を採る合の図。
【図２】（ａ）第１実施形態に係る室内機内部の構成を、図１の第１側面２ａ側から見た場合の概要図であって、室内機が閉姿勢を採る場合の図。  （ｂ）第１実施形態に係る室内機内部の構成を、図１の第１側面２ａ側から見た場合の概要図であって、室内機が閉姿勢から開姿勢に至る時の図。  （ｃ）第１実施形態に係る室内機内部の構成を、図１の第１側面２ａ側から見た場合の概要図であって、室内機が開姿勢を採る場合の図。
【図３】第１実施形態に係るフラットパネルの拡大図。
【図４】図３のフラットパネルの右側部分の拡大図。
【図５】昇降部の内部の構成を示す概要図。
【図６】第１実施形態に係る室内機を構成する各機器を模式的に示すブロック図。
【図７】（ａ）第２実施形態に係る室内機内部の構成を示す概要図であって、室内機が閉姿勢を採る場合の図。  （ｂ）第２実施形態に係る室内機内部の構成を示す概要図であって、室内機が閉姿勢から開姿勢に至る時の図。  （ｃ）第２実施形態に係る室内機内部の構成を示す概要図であって、室内機が開姿勢を採る場合の図。
【図８】第２実施形態に係る室内機を構成する各機器を模式的に示すブロック図。
【図９】（ａ）第２実施形態の変形例（ａ）に係る室内機内部の構成の一部分を示す概要図であって、室内機が閉姿勢を採る場合の図。  （ｂ）第２実施形態の変形例（ａ）に係る室内機内部の構成の一部分を示す概要図であって、室内機が閉姿勢から開姿勢に至る時の図。  （ｃ）第２実施形態の変形例（ａ）に係る室内機内部の構成の一部分を示す概要図であって、室内機が開姿勢を採る場合の図。
【図１０】第３実施形態に係る室内機の斜視図であって、室内機が開姿勢を採る場合の図。
【図１１】（ａ）第３実施形態に係る室内機内部の構成を、図１０の第１側面２０２ａ側から見た場合の概要図であって、室内機が閉姿勢を採る場合の図。  （ｂ）第３実施形態に係る室内機内部の構成を、図１０の第１側面２０２ａ側から見た場合の概要図であって、室内機が閉姿勢から開姿勢に至る時の図。  （ｃ）第３実施形態に係る室内機内部の構成を、図１０の第１側面２０２ａ側から見た場合の概要図であって、室内機が開姿勢を採る場合の図。
【図１２】第３実施形態に係るフラットパネルの拡大図。
【図１３】第３実施形態に係る室内機を構成する各機器を模式的に示すブロック図。
【図１４】（ａ）その他の実施形態に係る室内機内部の構成の一部分を示す概要図であって、室内機が閉姿勢を採る場合の図。  （ｂ）その他の実施形態に係る室内機内部の構成の一部分を示す概要図であって、室内機が閉姿勢から開姿勢に至る時の図。  （ｃ）その他の実施形態に係るに係る室内機内部の構成の一部分を示す概要図であって、室内機が開姿勢を採る場合の図。
【符号の説明】
【００９６】
１，１０１，２０１  室内機
２，１０２，２０２  本体ケーシング
２１，１２１，２２１  吸い込み口
２２，１２２，２２２  吹き出し口
２３，１２３，２２３  送風ファン
２４，１２４，２２４  熱交換器
２５，１２５，２２５  フィルタ
３，１０３，２０３  フラットパネル
７，１０７，２０７  パネル駆動部
７１ａ〜７１ｂ  第１回動支持部
７２ａ〜７２ｂ  第２回動支持部
７３ａ〜７３ｂ  長穴
７４ａ〜７４ｂ，１７４ａ〜１７４ｂ，２７１ａ〜２７１ｄ  ワイヤ
７５ａ〜７５ｂ，１７５ａ〜１７５ｂ，２７２ａ〜２７２ｄ  昇降部
９，１０９，２０９  制御部
１７１  ガイド部材
１７２  ガイド用ギア
Ｐ３，Ｐ１０３，Ｐ２０３  回動支点
【図１】
0004341713.tif 000002
【図２】
0004341713.tif 000003
【図３】
0004341713.tif 000004
【図４】
0004341713.tif 000005
【図５】
0004341713.tif 000006
【図６】
0004341713.tif 000007
【図７】
0004341713.tif 000008
【図８】
0004341713.tif 000009
【図９】
0004341713.tif 000010
【図１０】
0004341713.tif 000011
【図１１】
0004341713.tif 000012
【図１２】
0004341713.tif 000013
【図１３】
0004341713.tif 000014
【図１４】
0004341713.tif 000015